(57)【要約】【課題】シャンプー液等の抽出量を安定させ、排出口がどのような向きにあってもシャンプー液等を確実に抽出させ得るペット用シャンプーブラシを提供すること。【解決手段】下面にブラシ１３が設置され、上部が本体カバー２で施蓋されてシャンプー液貯留容器１４を構成する本体１内に、復帰ばね１１を備えたピストン３とシリンダー４とからなるシャンプー液抽出ポンプ５を設け、前記シリンダー４には、本体１下面のシャンプー液抽出口２０に通じる抽出口２４と、シャンプー液貯留容器１４内に通じる吸入口２５とを備えており、しかも、これらの抽出口２４及び吸入口２５には、抽出口弁９及び吸入口弁１０を備えており、前記ピストン３を前記本体カバー２の一部に設けたプッシュボタン６によりシリンダー４内で移動させて該シリンダー４内のシャンプー液を本体１の下面に設けたシャンプー液抽出口２０から本体１外部に排出させるようになした。【選択図】図１
2005124508.tif 000002
【特許請求の範囲】
【請求項１】
下面にブラシが設置され、上部が本体カバーで施蓋されてシャンプー液貯留容器を構成する本体内に、復帰ばねを備えたピストンとシリンダーとからなるシャンプー液抽出ポンプを設け、前記シリンダーには、本体下面のシャンプー液抽出口に通じる抽出口と、シャンプー液貯留容器内に通じる吸入口とを備えており、しかも、これらの抽出口及び吸入口には、抽出口弁及び吸入口弁を備えており、前記ポンプのピストンを前記本体カバーの一部に設けたプッシュボタンによりシリンダー内で移動させて該シリンダー内のシャンプー液を本体の下面に設けたシャンプー液抽出口から本体外部に排出させるようになしてあることを特徴とするペット用シャンプーブラシ。
【請求項２】
前記抽出口弁及び吸入口弁は、前記ピストンの前進動作によるシリンダー内圧力の増加で抽出口弁が開放し吸入口弁が閉じ、前記ピストンの後退動作によるシリンダー内圧力の減少で吸入口弁が開放し抽出口弁が閉じる如く前記ピストンの移動によるシリンダー内の圧力変化で自動的に逆関係で開閉する逆止弁構造をなしていることを特徴とする請求項１に記載のペット用シャンプーブラシ。
【請求項３】
前記抽出口弁は、常時、閉じ方向に付勢する弁ばねを備えていることを特徴とする請求項１又は２に記載のペット用シャンプーブラシ。
【請求項４】
前記本体カバーには、シャンプー液注入口が形成されており、該シャンプー液注入口には前記プッシュボタンが着脱可能に嵌着されていることを特徴とする請求項１〜３のいずれかに記載のペット用シャンプーブラシ。
【請求項５】
前記プッシュボタンは、弾性材料でほぼ半球ドーム状に構成され、該半球ドーム状のプッシュボタンの下端開口部は本体カバーのシャンプー液注入口と略同径とされ、この下端開口部の内周面に環状溝が形成され、該環状溝にボタンガイドの環状フランジ部が嵌合され、該ボタンガイドは本体カバーのシャンプー液注入口に嵌合可能とされ、該シャンプー液注入口の周縁の周方向等間隔位置には切欠き部が形成され、該切欠き部に対応させて前記ボタンガイドの外周面の周方向等間隔位置には係止突起が形成され、該係止突起と前記切欠き部とが位置合わせされた状態で前記ボタンガイドが本体カバーのシャンプー液注入口に嵌合離脱可能とされ、前記係止突起と切欠き部とが位置合わせされた状態で該ボタンガイドがプッシュボタンと一体的にシャンプー液注入口の周方向一方に回動されることにより、前記係止突起をシャンプー液注入口の周縁下面の締付カム面に当接係止させて前記プッシュボタンを本体カバーのシャンプー液注入口に前記半球ドーム状の下端開口部周縁を締付状態で嵌着係止させ、前記ボタンガイドがプッシュボタンと一体的に前記シャンプー液注入口の周方向他方に回動されることにより、前記係止突起を前記切欠き部に位置合わせしてボタンガイドと一体的にプッシュボタンを本体カバーのシャンプー液注入口から離脱可能としてあることを特徴とする請求項１〜４のいずれかに記載のペット用シャンプーブラシ。
【請求項６】
前記プッシュボタンは、プッシュロッドを介して前記ポンプのピストンを前進動作させる構成とされ、該プッシュロッドは、半球ドーム状のプッシュボタン内に収容され、かつボタンガイドの中心部に形成された貫通穴に摺動可能に挿通支持されていることを特徴とする請求項１〜５のいずれかに記載のペット用シャンプーブラシ。
【請求項７】
前記プッシュボタンは、本体カバーの中心から上辺縁部に偏在配置してあり、前記ポンプのピストンとシリンダーの作動軸線を前記プッシュボタンの中心位置から本体の中心側に傾斜して配置してあることを特徴とする請求項１〜６のいずれかに記載のペット用シャンプーブラシ。
【請求項８】
前記ポンプのピストン及びシリンダーは、作動軸線方向から見て楕円形、長円形、隅丸長方形等の本体の左右方向に長い形状とされていることを特徴とする請求項１〜７のいずれかに記載のペット用シャンプーブラシ。
【請求項９】
前記本体及び本体カバーの平面形状が、左右方向よりも上下方向に長い楕円形、長円形、隅丸長方形、これらに近似した形状のいずれかとされていることを特徴とする請求項１〜８のいずれかに記載のペット用シャンプーブラシ。
【発明の詳細な説明】
【技術分野】
【０００１】
本発明は、犬、猫などの洗浄ブラッシングに使用するペット用シャンプーブラシ、特に内部に貯留したシャンプー液を適宜供給可能としたペット用シャンプーブラシに関するものである。
【背景技術】
【０００２】
従来、ブラシを下面に設置した本体内にシャンプー液等を貯留可能とし、該下面に設けた抽出口にばねで閉じる弁体を設け、この弁体をキャップの一部に設けた操作ボタン部を押圧操作して開放させることにより、本体内に貯留したシャンプー液等を前記抽出口から適宜供給可能とした清掃具は、既に公知である（例えば、特許文献１参照）。
【特許文献１】特開２００１−１９８０６７号公報
【発明の開示】
【発明が解決しようとする課題】
【０００３】
従来公知の清掃具は、シャンプー液等の抽出時、キャップの一部に設けた操作ボタン部を押圧することにより弁体を開動作させて抽出口を開放させ、該弁体の開放中に本体内のシャンプー液等を抽出口から自重で流出させるものであるため、シャンプー液等の抽出量が操作ボタン部の押圧時間に依存するとはいうものの、シャンプー液の粘性変化や使用者の個人差によって抽出量が変化してシャンプー液等の抽出量に過不足が生じるなどの不安定さが伴い不便であった。また、抽出口を下向きにしなければシャンプー液等を抽出することができないという問題点があった。
【０００４】
本発明は、上記問題点に鑑みて開発されたもので、その目的とするところは、シャンプー液等の抽出量を安定させ、排出口がどのような向きにあってもシャンプー液等を確実に抽出させ得るペット用シャンプーブラシを提供することにある。
【課題を解決するための手段】
【０００５】
前記目的を達成するため、本発明は、下面にブラシが設置され、上部が本体カバーで施蓋されてシャンプー液貯留容器を構成する本体内に、復帰ばねを備えたピストンとシリンダーとからなるシャンプー液抽出ポンプを設け、前記シリンダーには、本体下面のシャンプー液抽出口に通じる抽出口と、シャンプー液貯留容器内に通じる吸入口とを備えており、しかも、これらの抽出口及び吸入口には、抽出口弁及び吸入口弁を備えており、前記ポンプのピストンを前記本体カバーの一部に設けたプッシュボタンによりシリンダー内で移動させて該シリンダー内のシャンプー液を本体の下面に設けたシャンプー液抽出口から本体外部に排出させるようになしたものである。
【０００６】
前記抽出口弁及び吸入口弁は、前記ピストンの前進動作によるシリンダー内圧力の増加で抽出口弁が開放し吸入口弁が閉じ、前記ピストンの後退動作によるシリンダー内圧力の減少で吸入口弁が開放し抽出口弁が閉じる如く前記ピストンの移動によるシリンダー内の圧力変化で自動的に逆関係で開閉する逆止弁構造をなしていることが好ましい。
前記抽出口弁は、常時、閉じ方向に付勢する弁ばねを備えていることが好ましい。
前記本体カバーには、シャンプー液注入口が形成されており、該シャンプー液注入口には前記プッシュボタンが着脱可能に嵌着されている。
【０００７】
前記プッシュボタンは、弾性材料でほぼ半球ドーム状に構成され、該半球ドーム状のプッシュボタンの下端開口部は本体カバーのシャンプー液注入口と略同径とされ、この下端開口部の内周面に環状溝が形成され、該環状溝にボタンガイドの環状フランジ部が嵌合され、該ボタンガイドは本体カバーのシャンプー液注入口に嵌合可能とされ、該シャンプー液注入口の周縁の周方向等間隔位置には切欠き部が形成され、該切欠き部に対応させて前記ボタンガイドの外周面の周方向等間隔位置には係止突起が形成され、該係止突起と前記切欠き部とが位置合わせされた状態で前記ボタンガイドが本体カバーのシャンプー液注入口に嵌合離脱可能とされ、前記係止突起と切欠き部とが位置合わせされた状態で該ボタンガイドがプッシュボタンと一体的にシャンプー液注入口の周方向一方に回動されることにより、前記係止突起をシャンプー液注入口の周縁下面の締付カム面に当接係止させて前記プッシュボタンを本体カバーのシャンプー液注入口に前記半球ドーム状の下端開口部周縁を締付状態で嵌着係止させ、前記ボタンガイドがプッシュボタンと一体的に前記シャンプー液注入口の周方向他方に回動されることにより、前記係止突起を前記切欠き部に位置合わせしてボタンガイドと一体的にプッシュボタンを本体カバーのシャンプー液注入口から離脱可能としてあることが好ましい。
【０００８】
前記プッシュボタンは、プッシュロッドを介して前記ポンプのピストンを前進動作させる構成とされ、該プッシュロッドは、半球ドーム状のプッシュボタン内に収容され、かつボタンガイドの中心部に形成された貫通穴に摺動可能に挿通支持されていることが好ましい。
前記プッシュボタンは、本体カバーの中心から上辺縁部に偏在配置してあり、前記ポンプのピストンとシリンダーの作動軸線を前記プッシュボタンの中心位置から本体の中心側に傾斜して配置してあることが好ましい。
【０００９】
前記ポンプのピストン及びシリンダーは、作動軸線方向から見て楕円形、長円形、隅丸長方形等の本体の左右方向に長い形状とされていることが好ましい。
前記本体及び本体カバーの平面形状が、左右方向よりも上下方向に長い楕円形、長円形、隅丸長方形、これらに近似した形状のいずれかとされていることが好ましい。
【発明の効果】
【００１０】
本発明によれば、抽出口の向きがどのような向きであっても本体内のシャンプー液をポンプによって、毎回、定量ずつ加圧して強制的に押し出すことができ、シャンプー液の抽出を確実に行うことができる。しかも、シャンプー液の粘性変化や使用者の個人差に無関係となり、１回の抽出量で不足する場合にはプッシュボタンの押圧操作を必要回数反復すればよく、シャンプー液の抽出を瞬間的に短時間で効率良く行わせることができる。また、ポンプを構成するシリンダーの抽出口弁及び吸入口弁をピストンの移動によるシリンダー内の圧力変化で自動的に逆関係で開閉する逆止弁構造とすることによって、弁構造を簡素化できると共にシャンプー液の抽出動作を確実かつ円滑に行うことができる。さらに、抽出口弁には、常時、閉じ方向に付勢する弁ばねを設けることによって、不使用時、抽出口からシャンプー液が漏れ出すことを確実に防止することができる。また、本体内へのシャンプー液の注入は、プッシュボタンを外すことによって行うことができ、本体カバーを本体とともにシャンプー液の貯留容器とすることができる。しかも、プッシュボタンと本体カバーのシャンプー液注入口とは、係止突起をシャンプー液注入口の周縁下面の締付カム面に当接係止させて前記プッシュボタンを本体カバーのシャンプー液注入口に弾性材料からなる半球ドーム状の下端開口部周縁を締付状態で嵌着係止させて嵌合したことによって、プッシュボタンと本体カバーの前記注入口との嵌合部におけるシールを確実に行わせることができる。また、プッシュボタンを押圧操作することによりプッシュロッドを介してポンプのピストンを前進動作させたことによって、ピストンをシリンダー内に残したままでプッシュボタンを着脱することができる。更に、プッシュボタンは、本体カバーの中心から上辺縁部に偏在配置し、前記ポンプのピストンとシリンダーの作動軸線を前記プッシュボタンの中心位置から本体の中心側に傾斜して配置したことによって、本体と本体カバーとが扁平とされていてもピストンストロークを長くとることができ、しかも、本体と一体の本体カバーの中央部を片方の手で把持した状態でその手の指（人差し指、中指等）でプッシュボタンを押圧操作することができ、操作性が向上する。しかも、シャンプー液は、本体下面の中央に近い位置から抽出させることができる。また、ポンプのピストン及びシリンダーは、作動軸線方向から見て楕円形、長円形、隅丸長方形等の本体の左右方向に長い形状とすることによって、ポンプによるシャンプー液の１回分の抽出量を増加させることができる。さらに、本体及び本体カバーの平面形状を、左右方向よりも上下方向に長い楕円形、長円形、隅丸長方形、これらに近似した形状のいずれかとすることによって、本体と一体の本体カバーを片方の手で把持し易くし、ペット動物の洗浄ブラッシングを容易化することができる。
【発明を実施するための最良の形態】
【００１１】
以下、本発明の実施の形態を図面に基づいて詳細に説明する。
図１において、本発明のペット用シャンプーブラシは、本体１と、本体カバー２と、ピストン３及びシリンダー４からなるポンプ５と、プッシュボタン６と、ボタンガイド７と、プッシュロッド８と、抽出口弁９と、吸入口弁１０と、ピストン復帰ばね１１と、抽出口弁９の弁ばね１２と、本体１の下面に設置されたブラシ１３とを主たる構成部材としている。
本体１は、図２、図４、図５、図７に示すように、下面に毛束状又はピン状のブラシ１３が多重楕円輪郭その他適宜のパターンで植設固定され、上部が本体カバー２で施蓋されてシャンプー液貯留容器１４を構成している。本体１と本体カバー２は、ＡＢＳ樹脂等の樹脂材料で構成され、同一色又は異色に着色されている。本体１の下面のブラシ１３の植設領域は、平坦面乃至緩い凸円弧曲面とされている。本体１の側面周囲とこれに続く上下面一部には、ＴＰＲ樹脂等のエラストマー樹脂材料からなるグリップ１５が囲繞装着されている。このグリップ１５は、本ペット用シャンプーブラシの使用時、使用者が片方の手、通常、右手の親指と薬指および小指とで本体１の左右両側面を挟んで把持する際の把持部となる。このグリップ１５は、本体１と異なる色彩に着色され、デザイン上のアクセントが付与されている。
【００１２】
本体１の上面には、図７に示すように、平面視で略楕円形の凹部１６が形成され、この凹部１６は、シャンプー液貯留容器１４の下半分を形成する。この凹部１６の底面は略平坦面とされており、該底面の周囲には、図１に示すように、パッキング１７を介して本体カバー２の周縁下端面を圧接させるための係止凹部１８が凹部１６の周方向に適宜間隔で複数個所（４〜６個所）に形成されている。該係止凹部１８に対応して、本体カバー２の周縁下端部外周面の周方向適宜間隔位置には、係止凸部１９が形成されている。本体カバー２の係止凸部１９を係止凹部１８に係止させることにより、本体１と本体カバー２とはパッキング１７を挟んで液密状態に嵌合保持せしめられる。
【００１３】
本体１の凹部１６の底面には、図６及び図７に示すように、１つのシャンプー液抽出口２０が下面に向けて貫通孔として形成されている。この抽出口２０の形成位置は、本体１の中央部に近い位置とされるもので、本実施形態においては、本体１の中央部より若干上方に偏位した位置に形成している。この抽出口２０の中央部には、ばね座２１が形成されている。このばね座２１は、図６に示すように、十字形状のリブ部２１ａによって抽出口２０の途中の内周壁面に一体に支持されており、各リブ部２１ａ間の隙間からシャンプー液を抽出するように形成されている。
【００１４】
本体１の凹部１６の底面側において、シャンプー液抽出口２０の周囲には、図６及び図７に示すように、ポンプ５のシリンダー４の下端を位置決め支持する位置決め凹部２２と支持突起２３が形成されている。
ポンプ５は、図１、図１０及び図１１に示すように、下端が閉じた筒状のシリンダー４と、このシリンダー４内に摺動可能に嵌合されるピストン３と、シリンダー４内に設置されたピストン復帰ばね１１とを有し、シリンダー４の底部には、抽出口２４と、吸入口２５とが形成されている。シリンダー４の抽出口２４の周囲には、本体１の凹部１６の底面の抽出口２０の周囲に形成されている位置決め凹部２２に嵌合する位置決め凸部２６が形成され、この位置決め凸部２６を位置決め凹部２２に嵌合することにより、シリンダー４を位置決めし、同時にシリンダー４の抽出口２４と本体１の抽出口２０とを連通させると共に本体１の抽出口２０をシリンダー４の位置決め凸部２６で液密状態に閉鎖するように構成している。上記位置決め凸部２６は、シリンダー４の中心軸線に対して傾斜してシリンダー４の底面に突出させて形成され、しかも、本体１の位置決め凹部２２に嵌合させたときに本体１の抽出口２０とシリンダー４の抽出口２４とが同心上に対応するように形成されている。
【００１５】
シリンダー４の底部に形成されている抽出口２４と吸入口２５には、図１に示すように、抽出口弁９と吸入口弁１０とが装着されている。抽出口弁９及び吸入口弁１０は、復帰ばね１１に抗するピストン３の下方への前進動作によるシリンダー４内圧力の増加で抽出口弁９が開放し吸入口弁１０が閉じ、前記復帰ばね１１によるピストン３の上方への後退動作によるシリンダー４内圧力の減少で吸入口弁１０が開放し抽出口弁９が閉じる如くピストン３の移動によるシリンダー４内の圧力変化で自動的に逆関係で開閉する逆止弁構造をなしている。
【００１６】
上記抽出口弁９は、図１１の（Ｃ）に示すように、軸部９ａの先端側に三角形突起状のストッパー９ｂを有し後端側に円錐状拡開部９ｃを有するもので、軸部９ａの先端側を前にしてシリンダー４の外側下方から抽出口２４に押込み、該抽出口２４をストッパー９ｂで弾性変形させながら該ストッパー９ｂを抽出口２４を越えてシリンダー４内に挿入させ、円錐状拡開部９ｃで抽出口２４をシリンダー４の外側から閉鎖させるように構成されている。抽出口２４は、抽出口弁９の円錐状拡開部９ｃと対応させてシリンダー４の外側下方に向けて拡径する円錐状とされている。抽出口弁９のストッパー９ｂと円錐状拡開部９ｃとは、開弁ストローク分だけ軸部９ａの軸線方向に離隔形成されている。
【００１７】
吸入口弁１０は、上記抽出口弁９と同一形状及び同一構成とされており、軸部１０ａの先端側を前にしてシリンダー４の内側上方から吸入口２５に押込み、該吸入口２５をストッパー１０ｂで弾性変形させながら該ストッパー１０ｂを吸入口２５を越えてシリンダー４外に突出させ、円錐状拡開部１０ｃで吸入口２５をシリンダー４の内側から閉鎖させるように構成されている。吸入口２５は、吸入口弁１０の円錐状拡開部１０ｃと対応させて外側下方に向けて縮径する円錐状とされている。吸入口弁１０のストッパー１０ｂと円錐状拡開部１０ｃとは、開弁ストローク分だけ軸部１０ａの軸線方向に離隔形成されている。
【００１８】
前記抽出口弁９の下面と本体１の抽出口２０内に設けたばね座２１との間に弁ばね１２が装着してあり、この弁ばね１２によって、抽出口弁９を常時、閉鎖方向に付勢し、シリンダー４の抽出口２４を閉鎖させ、本ペット用シャンプーブラシの不使用時におけるシャンプー液の漏れ出しを確実に防止するようにしている。この弁ばね１２は、ピストン３の下方への前進動作によるシリンダー４内のシャンプー液の圧力増加で抽出口弁９が開放するように小さなばね定数のものが使用されている。
吸入口弁１０に対しては、閉鎖用の弁ばねの設置が不要であるため省略しているが、開放用として、小さなばね定数の弁ばねを設置してもよい。吸入口弁１０が設置してあるシリンダー４の下面と本体１の凹部１６の上面との間には、吸入口弁１０の動作空間を形成するためと、シリンダー４の吸入口２５をシャンプー液貯留容器１４内へ連通させておくために本体１側から支持突起２３が上向きに突設してある。
【００１９】
前記抽出口弁９及び吸入口弁１０は、ポリアセタール樹脂等の樹脂材料で構成されている。
ポンプ５のピストン３及びシリンダー４は、図１０の（Ａ）及び図１１の（Ａ）に示すように、作動軸線方向から見て長円形としてあり、これによって、ポンプ５によるシャンプー液の１回分の抽出量を増加させるようにしている。なお、上記長円形以外の形状として、例えば、楕円形や隅丸長方形等の本体１の左右方向に長い形状としてもよい。ピストン３の下面周囲には、図１１の（Ｂ）に示すように、次第に薄肉化したシールリップ部３ａが形成してあり、ピストン３の前進動作時、シールリップ部３ａがシリンダー４内の空気乃至シャンプー液の抵抗によって外側に拡開してシリンダー４の内周面に密着し、気密性を高めてシャンプー液を効率良く抽出させることができる。また、ピストン３が後退動作するときには、シリンダー４内の減圧作用によって、シールリップ３ａが内側に縮少され、シリンダー４の内周面に対する摩擦抵抗を少なくしてスムーズに復帰させることができる。
【００２０】
上記ピストン３は、ポリアセタール樹脂等の樹脂材料で構成され、また、シリンダー４は、ＡＢＳ樹脂等の樹脂材料で構成されている。
本体カバー２は、図８及び図９に示すように、本体１の凹部１６に嵌合させるために平面視で略楕円形の周壁部２ａと、この周壁部２ａに連続して上方に膨隆する凸曲面状の頂部２ｂとを備えている。この頂部２ｂには、ポンプ５の作動軸線に対応させて環状のシャンプー液注入口２７が形成されており、該シャンプー液注入口２７にはプッシュボタン６が着脱可能に嵌着されている。
【００２１】
プッシュボタン６は、図１及び図１２に示すように、ゴム等の弾性材料でほぼ半球ドーム状に構成され、この半球ドーム状のプッシュボタン６の下端開口部６ａは本体カバー２のシャンプー液注入口２７と略同径とされ、この下端開口部６ａの内周面に環状溝６ｂが形成され、この環状溝６ｂにボタンガイド７の環状フランジ部７ａが嵌合されている。ボタンガイド７は、ＡＢＳ樹脂等の樹脂材料で構成されている。環状溝６ｂ内には位置決め凸部６ｂ’が形成され、これに対応して、図１３に示すように、環状フランジ部７ａに位置決め凹部７ａ’が形成され、これらを係合させることによってプッシュボタン６とボタンガイド７とを一体的に回動させ得るように構成している。ボタンガイド７は、環状フランジ部７ａに続いて本体カバー２のシャンプー液注入口２７より若干小径の嵌合胴部７ｂを有し、この嵌合胴部７ｂには、外周面の周方向等間隔位置２箇所に係止突起７ｃが形成されている。この係止突起７ｃに対応して、本体カバー２のシャンプー液注入口２７の周縁の周方向等間隔位置２箇所には、図８に示すように、切欠き部２７ａが形成されている。
【００２２】
上記係止突起７ｃと切欠き部２７ａとを位置合わせされた状態では、ボタンガイド７を本体カバー２のシャンプー液注入口２７に対して嵌合離脱可能とされている。また、係止突起７ｃと切欠き部２７ａとを位置合わせした状態でボタンガイド７の嵌合胴部７ｂを本体カバー２のシャンプー液注入口２７内に押込んでボタンガイド７をプッシュボタン６と一体的にシャンプー液注入口２７の周方向一方に回動させることにより、係止突起７ｃをシャンプー液注入口２７の周縁下面の締付カム面２７ｂ（図９参照）に当接係止させてプッシュボタン６の半球ドーム状の下端開口部６ａ周縁を本体カバー２のシャンプー液注入口２７に締付状態で嵌着係止させてプッシュボタン６を本体カバー２に固着すると共に、シャンプー液注入口２７を液密状態にシールさせてシャンプー液が漏れ出さないようにしている。
【００２３】
シャンプー液の注入時には、ボタンガイド７をプッシュボタン６と一体的に前記シャンプー液注入口２７の周方向他方に回動されることにより、係止突起７ｃを切欠き部２７ａに位置合わせしてボタンガイド７と一体的にプッシュボタン６を本体カバー２のシャンプー液注入口２７から離脱させるものである。
ボタンガイド７の中心部には、貫通穴７ｄが形成されており、この貫通穴７ｄにプッシュロッド８が摺動可能に挿通支持されている。このプッシュロッド８は半球ドーム状のプッシュボタン６内に収容され、プッシュボタン６を押圧操作することによりプッシュロッド８を介してポンプ５のピストン３を下方に前進動作させる構成とされている。プッシュロッド８は、ＡＢＳ樹脂等の樹脂材料で構成され、ピストン３と分離されており、プッシュボタン６を取り外した際、ボタンガイド７と共に本体カバー２から取り除かれる。これによって、シャンプー液注入口２７からシャンプー液貯留容器１４内にシャンプー液を容易に注入することができるように構成されている。なお、ポンプ５のピストン３及びシリンダー４は、本体カバー２の内面に設けた押えリブ２ｃ（図１及び図９参照）によって上方から押圧保持されている。押えリブ２ｃは、シャンプー液注入口２７の左右両側に配置されており、この位置は、長円形としたピストン３及びシリンダー４の左右両側の上面に対応した位置とされている。
【００２４】
プッシュボタン６は、図１及び図３に示すように、本体カバー２の中心から上辺縁部に偏在配置し、これに付随して、ポンプ５のピストン３とシリンダー４の作動軸線をプッシュボタン６の中心位置から本体１の中心側に傾斜して配置している。これによって、本体１と一体の本体カバー２の中央部を片方の手（例えば、右手）で把持した状態でその手の指（人差し指、中指等）でプッシュボタン６を押圧操作することができ、操作性が向上する。しかも、シャンプー液は、本体１の下面の中央に近い位置から抽出させることができる。
【００２５】
本体１及び本体カバー２の平面形状は、左右方向よりも上下方向に長い楕円形としているが、これ以外に例えば、長円形、隅丸長方形、これらに近似した形状のいずれかとすることによって、本体１と一体の本体カバー２を片方の手で把持し易くし、ペット動物の洗浄ブラッシングを容易化することができる。
本発明の実施形態は以上の構成からなるもので、次に、使用時の動作を説明する。
ポンプ５のピストン３は、復帰ばね１１によってシリンダー４内の上端位置に保持されている（図１参照）。また、本体１の抽出口２０は、シリンダー４の上端面が本体カバー２の押えリブ２ｃによって本体１の下方に向けて押えられ、シリンダー４の下端の位置決め凸部２６が位置決め凹部２２に嵌合していることによって常時、閉鎖されている。さらに、この抽出口２０に通じるシリンダー４の抽出口２４は、弁ばね１２で閉鎖方向に押圧されている抽出口弁９によって閉鎖されている。これによって、本体１と本体カバー２とで構成されたシャンプー液貯留容器１４内のシャンプー液が漏れ出すことはない。使用者がプッシュボタン６を押圧すると、プッシュロッド８を介してピストン３が復帰ばね１１に抗してシリンダー４内で下方に前進動作し、これによって、シリンダー４内の圧力が増加するため、図１４に示すように、抽出口弁９が弁ばね１２に抗して抽出口２４を開口させる。初回には、シリンダー４内が空となっているためシャンプー液が抽出されないが、２回目以降は、復帰ばね１１によってピストン３が上方へ後退動作するとき、シリンダー４内が減圧されることによって抽出口弁９が閉じ、吸入口弁１０が開放してシャンプー液貯留容器１４内のシャンプー液をシリンダー４内に吸入する。この吸入量は、シャンプー液貯留容器１４内の空気圧とシリンダー４内の減圧された内圧との圧力差に比例する。このようにして、シリンダー４内にシャンプー液が吸入されると、次にプッシュボタン６が押圧されたとき、シリンダー４内のシャンプー液がシリンダー４の抽出口２４から本体１の抽出口２０を経て本体１の下面に抽出され、ブラシ１３による洗浄に供される。プッシュボタン６の押圧を解除すれば、復帰ばね１１によってピストン３が上方に後退動作し、シリンダー４内が減圧されるため、および、弁ばね１２の復元力により、抽出口弁９が閉じるため、抽出口２４および抽出口２０からのシャンプー液の漏れ出しが確実に防止され、一方、吸入口弁１０が開放してシャンプー液貯留容器１４内のシャンプー液をシリンダー４内に吸入し、次回に備える。
【００２６】
さて、本発明の実施形態は以上からなるものであるが、本発明は、上記実施形態にのみ制約されるものではなく、特許請求の範囲で定義された意味と同等の範囲内において種々の変形態様で実施することができるものである。例えば、ピストン３及びシリンダー４からなるポンプ５は、その作動軸線を垂直或いは水平にしてもよく、その形状を円形としてもよいものである。また、本体１、本体カバー２、ピストン３、シリンダー４、ボタンガイド７、プッシュロッド８、抽出口弁９、吸入口弁１０の材質は、上述した樹脂以外の樹脂や金属を使用してもよく、本体カバー２は、透明樹脂または半透明樹脂で構成してもよい。
【図面の簡単な説明】
【００２７】
【図１】本発明のペット用シャンプーブラシの実施形態の縦断側面図である。
【図２】本発明のペット用シャンプーブラシの側面図である。
【図３】その平面図である。
【図４】その底面図である。
【図５】その正面図である。
【図６】本体の平面図である。
【図７】本体の縦断側面図である。
【図８】本体カバーの平面図である。
【図９】本体カバーの縦断側面図である。
【図１０】（Ａ）はシリンダーの平面図、（Ｂ）はその側面図、（Ｃ）はその縦断側面図である。
【図１１】（Ａ）はピストンの底面図、（Ｂ）はその縦断側面図、（Ｃ）は抽出口弁の側面図である。
【図１２】（Ａ）はプッシュボタンの縦断側面図、（Ｂ）はその環状溝部分における横断平面図である。
【図１３】（Ａ）はボタンガイドの平面図、（Ｂ）はその側面図である。
【図１４】プッシュボタンの押圧操作時の状態を示す全体の縦断側面図である。
【符号の説明】
【００２８】
１    本体
２    本体カバー
３    ピストン
４    シリンダー
５    ポンプ
６    プッシュボタン
７    ボタンガイド
８    プッシュロッド
９    抽出口弁
１０  吸入口弁
１１  復帰ばね
１２  弁ばね
１３  ブラシ
１４  シャンプー液貯留容器
２０  抽出口
２４  抽出口
２５  吸入口
２７  シャンプー液注入口
【図１】
2005124508.tif 000003
【図２】
2005124508.tif 000004
【図３】
2005124508.tif 000005
【図４】
2005124508.tif 000006
【図５】
2005124508.tif 000007
【図６】
2005124508.tif 000008
【図７】
2005124508.tif 000009
【図８】
2005124508.tif 000010
【図９】
2005124508.tif 000011
【図１０】
2005124508.tif 000012
【図１１】
2005124508.tif 000013
【図１２】
2005124508.tif 000014
【図１３】
2005124508.tif 000015
【図１４】
2005124508.tif 000016